(57)【特許請求の範囲】
【請求項１】
建物の開口部に窓枠を取付ける構造において、窓枠の取付調整用金具を、平板の一辺に内側に向けて切欠部を形成し、この切欠部で分離された前記の一辺の長さ方向に案内する案内条片を付設した台板と、前記案内条片によって案内されて台板上をスライドする楔状平板の先端から切欠部を、切欠部の入口から奥端部に進むにしたがって漸次、台板の前記切欠部を有する一辺から離散するようにして形成した調整用スライド板とより構成し、窓枠にほぼ直交させて付設した２つの取付片の一方を、前記取付調整用金具の台板に固定するとともに、この台板と調整用スライド板の両切欠部の少なくとも一部を重合させ、この重合部分に貫挿させたねじまたは釘の固定手段によって、建物の開口部の内周面に固定し、かつ窓枠の他方の取付片を建物外壁の開口部周辺の外側面に当接させたことを特徴とする窓枠の取付構造。
【請求項２】
台板に付設する案内条片を、台板の切欠部の左右両側に対向させて設け、これら左右両側の案内条片間に調整用スライド板を嵌挿し、かつ案内条片の遊端を内側に折り曲げたことを特徴とする請求項１に記載の窓枠の取付構造。
【請求項３】
建物外壁を外壁本体とこの外壁本体の外側面を覆う化粧層で構成し、開口部周辺の化粧層を、窓枠の建物外壁の外側面に当接させる取付片の少なくとも幅寸法以上に切欠いて外壁本体の外側面を露出させ、この露出させた外側面に窓枠の取付片を当接させ、かつ化粧層の前記切欠いた開口部周辺部分を化粧カバーで覆ったことを特徴とする請求項１または２に記載の窓枠の取付構造。
【発明の詳細な説明】
【０００１】
【発明の属する技術分野】
本発明は、建物の開口部における窓枠の取付構造に関する。
【０００２】
【従来の技術】
一般に、従来の窓枠の取付構造は、図５に水平断面図を示すように、建物の外壁本体（１０）に窓枠（１）を木ねじによって直接、固定し、建物外壁（２）のサイデングなどの化粧層（１１）で開口部周辺を含めて覆うものであった。
このため窓枠（１）の取付け工事の際に、一旦、取付けた窓枠（１）の建付けの微調整を行なおうとしても、取付けに木ねじを複数本、使用して外壁本体（１０）に直接、固定しているために困難であった。
【０００３】
また、取付後に、地震その他の振動や材料の劣化などにより経時的に開口部や窓枠が変形して建付けの調整が必要になった場合や窓枠を交換してリフォームする場合などに、窓枠（１）の取りはずしが容易でないばかりでなく、建物外壁（２）の化粧層（１１）の開口部周辺を剥がし、窓枠（１）の建付調整または交換の後に、再度、化粧層（１１）を補修する必要があり、手数を要するとともに費用も高くなる問題があった。
【０００４】
【発明が解決しようとする課題】
本発明は、上記の現状に鑑み、窓枠を取付ける際の建付の調整を容易に能率的に実施できるとともに、取付け後の経時的な開口部や窓枠の変形に対処して、建付けの調整のメインテナンスあるいはリフォームのために窓枠の交換を行なう場合にも、容易に建付けの調整や窓枠の交換ができ、かつ費用上も有利となる窓枠の取付構造を提供することを目的とする。
【０００５】
【課題を解決するための手段】
本発明の課題は、次のようにして達成される。
（１）  建物の開口部に窓枠を取付ける構造において、窓枠の取付調整用金具を、平板の一辺に内側に向けて切欠部を形成し、この切欠部で分離された前記の一辺の長さ方向に案内する案内条片を付設した台板と、前記案内条片によって案内されて台板上をスライドする楔状平板の先端から切欠部を、切欠部の入口から奥端部に進むにしたがって漸次、台板の前記切欠部を有する一辺から離散するようにして形成した調整用スライド板とより構成し、窓枠にほぼ直交させて付設した２つの取付片の一方を、前記取付調整用金具の台板に固定するとともに、この台板と調整用スライド板の両切欠部の少なくとも一部を重合させ、この重合部分に貫挿させたねじまたは釘の固定手段によって、建物の開口部の内周面に固定し、かつ窓枠の他方の取付片を建物外壁の開口部周辺の外側面に当接させる。
【０００６】
（２）  上記（１）項において、台板に付設する案内条片を、台板の切欠部の左右両側に対向させて設け、これら左右両側の案内条片間に調整用スライド板を嵌挿し、かつ案内条片の遊端を内側に折り曲げる。
【０００７】
（３）  上記（１）または（２）項において、建物外壁を外壁本体とこの外壁本体の外側面を覆う化粧層で構成し、開口部周辺の化粧層を、窓枠の建物外壁の外側面に当接させる取付片の少なくとも幅寸法以上に切欠いて外壁本体の外側面を露出させ、この露出させた外側面に窓枠の取付片を当接させ、かつ化粧層の前記切欠いた開口部周辺部分を化粧カバーで覆う。
【０００８】
【発明の実施の形態】
以下、添付図面に基づいて、本発明を具体的に説明する。
図４は、本発明の取付構造によって窓枠を取付けた開口部の水平断面図、図１は、図４における左端近傍の部分拡大図であり、従来の取付構造として説明した図５に相当する図面である。
【０００９】
本発明は、窓枠（１）を建物外壁（２）に直接に取付けず、取付調整用金具（３）を用いて取付ける。
取付調整用金具（３）は、台板（４）と調整用スライド板（５）とより構成される。
【００１０】
図２は、台板（４）と調整用スライド板（５）とを組合せた状態を斜め上方から見た斜視図、図３は、分解した状態の上方斜視図である。
【００１１】
台板（４）は、平板の一辺に内側に向けた切欠部（４ａ）が設けられ、この切欠部（４ａ）で分離された前記の一辺に沿って案内する案内条片（４ｂ）（４ｂ）（４ｂ’）（４ｂ’）を付設して形成される。
案内条片（４ｂ）（４ｂ）；（４ｂ’）（４ｂ’）は、その遊端が内側に折り曲げられ、かつ切欠部（４ａ）の左右両側に対向させて設けられる。
【００１２】
調整用スライド板（５）は、楔状平板の先端から切欠部（５ａ）を、切欠部の入口から奥端部に進むにしたがって漸次、台板（４）の前記切欠部（４ａ）を有する一辺から離散するように形成して構成し、台板（４）の切欠部（４ａ）の左右両側に配列した前記案内条片（４ｂ）（４ｂ）；（４ｂ’）（４ｂ’）間に嵌挿させて自在にスライドできるようにしてある。
【００１３】
上記の取付調整用金具（３）を用いて窓枠（１）を建物の開口部に取付けるには、次のようにする。
窓枠（１）にほぼ直交させて付設した２つの取付片（１ａ）（１ａ’）のうち、一方の取付片（１ａ）を、前記取付調整用金具（３）の台板（４）に、ビス（６）や小ねじ（７）を用いて固定するとともに、この台板（４）と調整用スライド板（５）の両切欠部（４ａ）、（５ａ）の少なくとも一部を重合させ、この重合部分に頭部六角木ねじ（８）を貫挿させて建物の開口部の内周面（８）に固定し、かつ他方の取付片（１ａ’）を建物外壁（２）の開口部周辺の外側面に当接させる。
【００１４】
上記のような構造で窓枠（１）を取付けることにより、次のような作用を有する。
調整用スライド板（５）の上端部をハンマーなどを用いて下方に移動させることにより、調整用スライド板（５）に、下方の先端から上方に進むにしたがって漸次、室外側（図１において上側）に向う切欠部（５ａ）が設けられているとともに、調整用スライド板（５）の室内外方向（図１における上下方向）の移動は、頭部六角木ねじ（８）によって前記切欠部（５ａ）に沿って移動するように規制されているために、調整用スライド板（５）は下方への移動にともなって室内側（図１における下側）に移動する。
【００１５】
一方、台板（４）は、案内条片（４ｂ）（４ｂ’）により、調整用スライド板（５）の室内外方向への移動にともなって、同じ方向に移動するように規制されているために、調整用スライド板（５）を下方に移動させると、台板（４）に固定された窓枠（１）が室内側に引張られる。
【００１６】
このため窓枠（１）の一方の取付片（１ａ’）は、建物外壁（２）に当接されているだけであるが、調整用スライド板（５）の上下の位置を調節することによって、窓枠（１）は、相当に大きい力で室内外に引張られ、建物の開口部に強固に固定される。
【００１７】
また、取付調整用金具（３）と建物の開口部の内周面（９）の間には、間隙が存在するために、窓枠（１）の建物外壁（２）と平行する方向（図１における左右方向）の調整も次のようにして容易にできる。
すなわち、調整用スライド板（５）を上方に移動させて、窓枠（１）の固定をゆるめ、窓枠（１）の左右方向の位置を調節した後に、調整用スライド板（５）を、ハンマーなどを用いて下方に移動させれば、窓枠（１）は上記の調節した左右の位置で強固に固定される。
【００１８】
なお、上記の実施の形態では、調整用スライド板（５）の切欠部（５ａ）が、調整用スライド板（５）の下端から切欠かれている場合を説明したが、逆に上端から切欠いて切欠部を設け、調整用スライド板（５）を下方から台板（４）の案内条片（４ｂ）（４ｂ’）間に嵌挿させてもよい。
【００１９】
調整用スライド板（５）のハンマーなどで叩く方の端部は、直角状に折り曲げて叩き部を設けると調整する際の作業が容易である。
【００２０】
建物外壁（２）は、外壁本体（１０）とこの外壁本体（１０）の外側面をスペーサ（１２）を介して覆う化粧層（１１）とで構成し、開口部周辺の化粧層（１１）を、窓枠（１）の建物外壁（２）の外側面に当接させる取付片（１ａ’）の少なくとも幅寸法以上に切欠いて外壁本体（１０）の外側面を露出させ、この露出させた外側面に窓枠（１）の取付片（１ａ’）を当接させる。
【００２１】
化粧層（１１）の前記切欠いた開口部周辺部分は、雨水の浸入を防止するために防水シート（１３）で塞ぎ、この防水シートの一端は、後記の化粧カバー（１５）の端面と窓枠（１）間にはさみ込んで固定し、他端は、押え材（１４）と化粧層（１１）間にはさみ込んで固定する。
【００２２】
更に、防水シート（１３）の外側から切欠いた開口部周辺の全体を化粧カバー（１５）で覆い、木ねじ（１６）を用いて押え材（１４）とともに化粧カバー（１５）を建物外壁（２）に固定する。
また、露出する取付調整用金具（３）やビス（６）は、適宜の開口部内周面の化粧材（図示は省略する）で覆えばよい。
【００２３】
なお、上記の実施の形態においては、窓枠（１）は、開き窓用の窓枠について図示したが、引違い窓用やはめ殺し用の窓枠についても同様に適用し得る。
【００２４】
【発明の効果】
本発明によると、次のような効果を奏することができる。
請求項１に記載の発明によれば、建物の開口部に窓枠を取付ける際の建付の調整が前記したように容易であり、取付作業も従来の工法に比べて能率的に実施できる。
【００２５】
また、取付後に、地震その他の振動や材料の劣化などにより、経時的に開口部や窓枠が変形した場合も、容易に建付を調整することができる。
さらに、窓枠を新しいものと交換する場合も、従来のように、建物外壁に取付けた木ねじを取りはずすことなく、簡単に交換することができる。
【００２６】
請求項２に記載の発明によれば、台板上における調整用スライド板の室内外方向およびこれと直交する方向の位置の安定性を良好にすることができる。
【００２７】
請求項３に記載の発明によれば、化粧カバーを取りはずすことによって、従来のように建物外壁の化粧層の開口部周辺部分を剥がすことなく窓枠の建付の調整や交換が容易に実施できるために、経時的な変形に対処して建付の調整を行う場合やリフォーム時などに能率的に、かつ費用上も有利に作業を実施することができる。
【図面の簡単な説明】
【図１】本発明の窓枠の取付構造を示す水平断面図であり、図４における左端近傍の部分拡大図である。
【図２】本発明において用いる取付調整用金具を台板と調整用スライド板を組合せた状態で斜め上方から見た斜視図である。
【図３】本発明において用いる取付調整用金具の分解した状態の上方斜視図である。
【図４】本発明の取付構造によって窓枠を取付けた開口部の水平断面図である。
【図５】従来の窓枠の取付構造を示す水平断面図であり、図１に相当する図面である。
【符号の説明】
（１）窓枠
（１ａ）（１ａ’）取付片
（２）建物外壁
（３）取付調整用金具
（４）台板
（４ａ）切欠部
（４ｂ）（４ｂ’）案内条片
（５）調整用スライド板
（５ａ）切欠部
（６）ビス
（７）小ねじ
（８）頭部六角ねじ
（９）建物の開口部の内周面
（１０）外壁本体
（１１）化粧層
（１２）スペーサ
（１３）防水シート
（１４）押え材
（１５）化粧カバー
（１６）木ねじ
【図１】
0003579864.tif 000002
【図２】
0003579864.tif 000003
【図３】
0003579864.tif 000004
【図４】
0003579864.tif 000005
【図５】
0003579864.tif 000006